(57)【要約】【課題】光漏れを防止することができる液晶表示装置のモジュールを提供する。【解決手段】前面に具備されて画像を表示する液晶パネル３１０と、前記液晶パネル３１０の後面に設置されて前記液晶パネル３１０に光源を提供するバックライトアセンブリー３３０と、前記バックライトアセンブリー３３０を内設して、前記液晶パネル３１０を装着させるパネルガイド３２０と、前記パネルガイド３２０の一側面に付着されて前記液晶パネルを支持するクッション材３２３と、前記液晶パネル３１０の前面端部を支持するトップカバー３２１と、前記パネルガイド３２０を内部に具備し、前記トップカバー３２１と結合するボトムカバー３２２とを含んで構成される。【選択図】図３
2005346061.tif 000002
【特許請求の範囲】
【請求項１】
前面に具備されて画像を表示する液晶パネルと、
前記液晶パネルの後面に設置されて前記液晶パネルに光源を提供するバックライトアセンブリーと、
前記バックライトアセンブリーを内設して、前記液晶パネルを装着させるパネルガイドと、
前記パネルガイドの一側面に付着されて前記液晶パネルを支持するクッション材と、
前記液晶パネルの前面端部を支持するトップカバーと、
前記パネルガイドを内部に具備し、前記トップカバーと結合するボトムカバーと
を含むことを特徴とする液晶表示装置のモジュール。
【請求項２】
前記クッション材は、ゴム材質またはスポンジ材質で形成されることを特徴とする請求項１に記載の液晶表示装置のモジュール。
【請求項３】
前記パネルガイドにクッション材が付着される一側面は、前記液晶パネルが立てられて荷重を受ける下部面であることを特徴とする請求項１に記載の液晶表示装置のモジュール。
【請求項４】
前記クッション材は、ゴムまたはスポンジ材質が所定形状に加工されて前記パネルガイドの一側面に接着されて具備されることを特徴とする請求項１に記載の液晶表示装置のモジュール。
【請求項５】
前記クッション材は、少なくとも２個以上具備されることを特徴とする請求項１に記載の液晶表示装置のモジュール。
【請求項６】
前記バックライトアセンブリーは、
前記液晶パネルの下側である前記ボトムカバーに所定間隔離隔されて平行するように配置された複数個のランプと、
前記ランプの下部に具備され、前記ランプで発光した光を前面に反射させる反射板と、
前記ランプの上部に具備されて発光した光の光効率を高めるための光学シートと
を含むことを特徴とする請求項１に記載の液晶表示装置のモジュール。
【請求項７】
前記パネルガイドは、ポリカーボネートの樹脂材料で成形されることを特徴とする請求項１に記載の液晶表示装置のモジュール。
【請求項８】
前面に具備されて画像を表示する液晶パネルと、
前記液晶パネルの後面に設置されて前記液晶パネルに光源を提供するバックライトアセンブリーと、
一側面に緩衝構造を有し、前記液晶パネルが装着されるフレーム形状のパネルガイドと、
前記液晶パネルを前面の端部で支持するトップカバーと、
前記バックライトアセンブリーの下部面を包むボトムカバーと
を含むことを特徴とする液晶表示装置のモジュール。
【請求項９】
前記緩衝構造は、前記パネルガイドと一体型で形成されることを特徴とする請求項８に記載の液晶表示装置のモジュール。
【請求項１０】
前記緩衝構造は、板バネ形状に形成されることを特徴とする請求項８に記載の液晶表示装置のモジュール。
【請求項１１】
前記緩衝構造は、少なくとも２個以上具備されることを特徴とする請求項８に記載の液晶表示装置のモジュール。
【請求項１２】
前記バックライトアセンブリーは、直下型で構成されることを特徴とする請求項８に記載の液晶表示装置のモジュール。
【請求項１３】
前記バックライトアセンブリーは、
前記液晶パネルの下側である前記ボトムカバーに所定間隔離隔されて平行するように配置された複数個のランプと、
前記ランプの下部に具備され、前記ランプで発光した光を前面に反射させる反射板と、
前記ランプの上部に具備されて発光した光の光効率を高めるための光学シートと
を含むことを特徴とする請求項８に記載の液晶表示装置のモジュール。
【請求項１４】
前記パネルガイドは、ポリカーボネートの樹脂材料で成形されることを特徴とする請求項８に記載の液晶表示装置のモジュール。
【発明の詳細な説明】
【技術分野】
【０００１】
本発明は、液晶表示装置のモジュールに係り、特に、液晶パネルが装着されるパネルガイドにクッション材を提供して、液晶パネルの荷重によって押されることを改善させることによる光漏れを防止することができる液晶表示装置のモジュールに関する。
【背景技術】
【０００２】
一般的に、平板型表示装置の一つである液晶ディスプレー（ＬＣＤ：Ｌｉｑｕｉｄ  Ｑｒｙｓｔａｌ  Ｄｉｓｐｌａｙ）は、陰極線管（ＣＲＴ：Ｃａｔｈｏｄ  Ｒａｙ  Ｔｕｂｅ）に比べて視認性に優れ、平均消費電力も同じ画面サイズのＣＲＴに比べて小さいだけでなく、発熱量も小さいため、プラズマ表示装置（ＰＤＰ：Ｐｌａｓｍａ  Ｄｉｓｐｌａｙ  Ｐａｎｅｌ）や電界放出表示装置（ＦＥＤ：Ｆｉｅｌｄ  Ｅｍｉｓｓｉｏｎ  Ｄｉｓｐｌａｙ）と共に、最近、携帯電話やコンピュータのモニター、テレビの次世代表示装置として脚光を浴びている。
【０００３】
このようなＬＣＤは、特殊に表面処理された２枚の薄いガラス板間に固体と液体の中間物質である液晶物質を注入して、上下ガラス板上の電極の電圧差で液晶分子の配列を変化させることによって明暗を発生させて画像を表示する作動原理を有するが、このＬＣＤは、文字が表示されるパネル自らは光を放出することができないので、表示内容を視覚的に認識できるようにするためにランプなどの光源を必要とする。
【０００４】
通常、ノートブックコンピュータと呼ばれる携帯型コンピュータの画面表示装置で使われるＬＣＤモジュールには、その後面に光源としてバックライトアセンブリーが具備される。
【０００５】
図１は、従来の液晶表示装置のモジュールの構造を示した断面図である。図１に図示したように、液晶表示装置のモジュール１００は、前面に具備されて画像を表示する液晶パネル１１０と、前記液晶パネル１１０の後面に設置されて前記液晶パネル１１０に光源を提供するバックライトアセンブリー１３０と、前記液晶パネル１１０を装着させるパネルガイド１２０と、前記液晶パネル１１０を前面の端部で支持するトップカバー１２１と、前記バックライトアセンブリー１３０の下部面を包みながら内設するようにして、前記トップカバー１１９と結合する四角フレーム形状のボトムカバー１２３で構成される。
【０００６】
前記バックライトアセンブリー１３０は、前記液晶パネル１１０の下側である前記ボトムカバー１２３に所定間隔離隔されて平行するように配置された複数個のランプ１３１と、前記ランプ１３１の下部に具備され、前記ランプ１３１で発光した光を前面に反射させる反射板１３４と、前記ランプ１３１の上部に具備されて発光した光の光効率を高めるための光学シート１３５、１３６を含む。
【０００７】
前記パネルガイド１２０は、前記液晶パネル１１０を装着して固定及び支持して、内部に受納空間が形成されて前記バックライトアセンブリー１３０のランプ１３１が一側端に沿って内設するようになり、電気的に作動するが、ランプの両端部には外部から電源を供給するためのワイヤー（図示せず）がそれぞれ連結される。
【０００８】
そして、前記反射板１３４及び光学シート１３５、１３６で構成されたバックライトアセンブリー１３０が挿入固定されて、シートの上部にはバックライトアセンブリー１３０から伝えられた光を利用して情報を表示する前記液晶パネル１１０が置かれる。
【０００９】
前記ボトムカバー１２３は、前記パネルガイド１２０と対応する位置の背面に所定間隔で結合溝が形成されて一側面及び全面を包む形状に折り曲げられている構造を有しており、アルミニウム材質で形成されている。
【００１０】
前記トップカバー１２１は、前記液晶パネル１１０が前記パネルガイド１２０から離脱することを防止するために縁の所定領域が折り曲げられて、前記ボトムカバー１２３と締結される。
【００１１】
一方、図２は、前記図１のパネルガイドのリブに装着される液晶パネルを示した図面である。図２に図示したように、前記パネルガイド１２０に前記液晶パネル１１０の四方の側面部が装着されている。そして、前記パネルガイド１２０の一側面部の中で、前記液晶パネル１１０が立てられるようになり、前記パネルガイド１２０で下部になる一側面部には、所定間隔でリブが形成されている。
【００１２】
したがって、前記液晶パネル１１０が前記パネルガイド１２０のリブにより支持されるようになる。
【００１３】
この時、前記液晶パネル１１０が小さい場合には、その重さにより押されることの影響を無視することができるが、大型化液晶パネルは、自重による影響を無視することができなくなる。
【００１４】
したがって、パネルガイドの集中荷重を避けるために、リブ幅を増加させてもプラスチック特性上、幅全体に対して均一な特性を持ちにくく撓みが発生するため、むしろ撓みによる局部的な干渉で液晶パネル上の光漏れが発生する可能性が高くなる。
【００１５】
すなわち、パネルガイドのリブ部分に液晶パネルが集中荷重を受けると、この荷重により液晶パネル内部の液晶配列が変わることとなり、輝線となって光漏れが発生する問題点がある。
【発明の開示】
【発明が解決しようとする課題】
【００１６】
本発明は液晶パネルが装着されるパネルガイドに対して、前記液晶パネルと接触する面に液晶パネルの荷重によって押されることを改善するクッション材または緩衝構造が具備されることによって、光漏れを防止することができる液晶表示装置のモジュールを提供することにその目的がある。
【課題を解決するための手段】
【００１７】
前記目的を達成するために本発明の第１実施形態による液晶表示装置のモジュールは、前面に具備されて画像を表示する液晶パネルと、前記液晶パネルの後面に設置されて前記液晶パネルに光源を提供するバックライトアセンブリーと、前記バックライトアセンブリーを内設して、前記液晶パネルを装着させるパネルガイドと、前記パネルガイドの一側面に付着されて前記液晶パネルを支持するクッション材と、前記液晶パネルの前面端部を支持するトップカバーと、前記パネルガイドを内部に具備し、前記トップカバーと結合するボトムカバーとを含むことを特徴とする。
【００１８】
また、本発明の第２実施形態による液晶表示装置のモジュールは、前面に具備されて画像を表示する液晶パネルと、前記液晶パネルの後面に設置されて前記液晶パネルに光源を提供するバックライトアセンブリーと、一側面に緩衝構造を有し、前記液晶パネルが装着されるフレーム形状のパネルガイドと、前記液晶パネルを前面の端部で支持するトップカバーと、前記バックライトアセンブリーの下部面を包むボトムカバーとを含むことを特徴とする。
【発明の効果】
【００１９】
本発明によれば、液晶パネルが装着されるパネルガイドにクッション材または緩衝構造を提供して液晶パネルの荷重によって押されることを改善させることによって光漏れ防止をすることができる。
【発明を実施するための最良の形態】
【００２０】
以下、本発明による液晶表示装置のモジュールに対する実施形態を添付した図面を参照しながら詳細に説明する。
【００２１】
図３は、本発明による液晶表示装置のモジュールの第１実施形態の構造を概略的に示した断面図である。図３に示したように、液晶表示装置のモジュール３００は、前面に具備されて画像を表示する液晶パネル３１０と、前記液晶パネル３１０の後面に設置されて前記液晶パネル３１０に光源を提供するバックライトアセンブリー３３０と、前記バックライトアセンブリー３３０を内設して、前記液晶パネル３１０の四方の側面部を装着させるフレーム形状のパネルガイド３２０と、前記パネルガイド３２０の一側面に付着されて前記液晶パネル３１０の荷重を支持するクッション材３２３と、前記液晶パネル３１０の前面端部を支持するトップカバー３２１と、前記パネルガイド３２０を内部に具備し、前記トップカバー３２１と結合されるボトムカバー３２２で構成される。
【００２２】
すなわち、本発明の第１実施形態は、前記液晶パネル３１０と接して液晶パネルの荷重を受けるようになる前記パネルガイド３２０の一側面にクッション材３２３が具備されることによって、液晶パネルの荷重によって押されることが改善されて、液晶パネル内部の液晶配列が変わることにより発生する光漏れ現象を克服することができる。
【００２３】
前記液晶パネル３１０は、偏光板がそれぞれ付着された２枚の上部基板と下部基板間に液晶が注入され、マトリックス状に配置された液晶画素セルのそれぞれは、薄膜トランジスタ（ＴＦＴ：Ｔｈｉｎ  Ｆｉｌｍ  Ｔｒａｎｓｉｓｔｏｒ）により駆動される。前記液晶パネル３１０の縁に形成された信号ラインパッドとメーンフレームの上側に設置されたプリント基板間には、ドライブ集積回路が実装されたテープキャリアパッケージ（ＴＣＰ：Ｔａｐｅ  Ｃａｒｒｉｅｒ  Ｐａｃｋａｇｅ）が設置される。
【００２４】
前記バックライトアセンブリー３３０は、一般的にエッジ型または直下型構造で形成されるが、本発明の実施形態の場合、図３に示したように、直下型構造をその例として説明する。
【００２５】
ここで、前記バックライトアセンブリー３３０は、前記液晶パネル３１０の下側である前記ボトムカバーに所定間隔離隔されて平行するように配置された複数個のランプ３３１と、前記ランプ３３１の下部に具備され、前記ランプ３３１で発光した光を前面に反射させる反射板３３４と、前記ランプ３３１の上部に具備されて発光した光の光効率を高めるための光学シート３３５、３３６を含む。
【００２６】
前記光学シート３３５、３３６は、前記ランプ３３１の上部に位置して前記ランプ３３１から発光した光を均一に拡散させる拡散シート、前記拡散シートの上部に位置し、前記拡散シートで拡散した光を集光させて前記液晶パネル３１０に伝達する集光シート等で構成される。
【００２７】
図４は、前記図３のクッション材が付着されたパネルガイドに液晶パネルが装着されることを示した斜視図である。図４に示したように、前記パネルガイド３２０は、ポリカーボネートなどの樹脂材料で成形されて前記液晶パネル３１０を下で支持する役割をする。
【００２８】
すなわち、前記パネルガイド３２０の内部には、前記バックライトアセンブリー３３０の前記蛍光ランプ３３１が一側端に沿って内設するようになり、電気的に作動するが、ランプの両端部には外部から電源を供給するための電線（図示せず）がそれぞれ連結される。
【００２９】
そして、前記反射板３３４、前記導光板３３３及び光学シート３３５、３３６で構成されたバックライトアセンブリー３３０が挿入固定されて、光学シートの上部には、前記バックライトアセンブリー３３０から伝えられた光を利用して情報を表示する前記液晶パネル３１０が置かれる。
【００３０】
また、前記パネルガイド３２０は、フレーム形状に形成されていて前記液晶パネル３１０の四方側面部が装着できるように形成されている。この時、前記液晶パネル３１０の荷重を受ける側面部には、ゴム材質またはポロン（ｐｏｒｏｎ）のようなスポンジ材質の前記クッション材３２３が付着されていることを特徴とする。
【００３１】
ここで、前記クッション材３２３は、前記液晶パネル３１０と接して液晶パネルの荷重を受けるように前記パネルガイド３２０の一側面に形成され、ゴムまたはスポンジ材質が所定形状に加工されて前記パネルガイド３２０の一側面に接着されるように形成することができる。
【００３２】
このような前記クッション材３２３は、前記パネルガイド３２０の一側面に前記液晶パネル３１０が立てられる場合、前記液晶パネル３１０の自重により押されることで発生する集中荷重を減らすようになる。
【００３３】
したがって、前記液晶パネル３１０に注入された液晶に局部的なストレスを及ぼさないようにして、光漏れが発生することを防止するようになる。
【００３４】
一方、前記トップカバー３２１は、前記液晶パネル３１０が前記パネルガイド３２０から離脱することを防止するために、縁の所定領域が折り曲げられて前記ボトムカバー３２２と締結される。
【００３５】
前記ボトムカバー３２２は、金属材質で構成されて、前記パネルガイド３２０と対応する位置に所定間隔で結合溝が形成されている。また、前記ボトムカバー３２２は、前記バックライトアセンブリー３３０の一側面及び背面を包む形状で折り曲げられている構造を有する。
【００３６】
また、図５は、本発明による液晶表示装置のモジュールの第２実施形態の構造を概略的に示した図面である。図５に示したように、液晶表示装置のモジュール５００は、前面に具備されて画像を表示する液晶パネル５１０と、前記液晶パネル５１０の後面に設置されて前記液晶パネル５１０に光源を提供するバックライトアセンブリー５３０と、前記液晶パネル５１０が装着される一側面に緩衝構造５２３を形成したフレーム形状のパネルガイド５２０と、前記液晶パネル５１０を前面の端部で支持するトップカバー５２１と、前記バックライトアセンブリー５３０の下部面を包むボトムカバー５２２を含む。
【００３７】
すなわち、図５に示した本発明の第２実施形態は、前記液晶パネル５１０と接して液晶パネルの荷重を受ける前記パネルガイド５２０の一側面に、緩衝構造５２３が前記パネルガイドに一体に形成されることによって、液晶パネルの荷重によって押されることが改善されて液晶パネル内部の液晶配列が変わることにより発生する光漏れ現象を克服することができる。
【００３８】
また、図６及び図７は、前記図５の緩衝構造を有するパネルガイドに装着された液晶パネルを示した図面である。
【００３９】
図６及び図７に示したように、前記パネルガイド５２０の一側面には、緩衝構造５２３が形成されていて、前記液晶パネル５１０が立てられるようになれば、前記緩衝構造５２３は、前記液晶パネル５１０の荷重により押されるようになる。
【００４０】
すなわち、前記緩衝構造５２３がクッションの役割をすることによって、重さによる集中荷重を減らすことができる。
【００４１】
ここで、前記緩衝構造５２３は、前記液晶パネル５１０と接して液晶パネルの荷重を受けるようになる前記パネルガイド５２０の一側面に形成され、前記パネルガイド５２０と一体に形成することができる。
【００４２】
また、前記緩衝構造５２３は、板バネ形状等で形成することができ、図７に示したように、前記液晶パネル５１０の荷重を受ければ、前記液晶パネル５１０と接する前記複数の緩衝構造５２３が同時に押されることによって、局部的に押されることにより液晶パネル内部の液晶配列が変更されて発生する光漏れ現象を克服することができる。
【図面の簡単な説明】
【００４３】
【図１】従来の液晶表示装置のモジュールの構造を示した断面図。
【図２】前記図１のパネルガイドのリブに装着される液晶パネルを示した斜視図。
【図３】本発明による液晶表示装置のモジュールの第１実施形態の構造を概略的に示した断面図。
【図４】前記図３のクッション材が付着されたパネルガイドに装着される液晶パネルを示した斜視図。
【図５】本発明による液晶表示装置のモジュールの第２実施形態の構造を概略的に示した図面。
【図６】前記図５の緩衝構造を有するパネルガイドに装着される液晶パネルを示した斜視図。
【図７】前記図５の緩衝構造により液晶パネルが装着されることを説明する正面図。
【符号の説明】
【００４４】
３００、５００  液晶表示装置のモジュール、３１０、５１０  液晶パネル、３２０、５２０  パネルガイド、３２１、５２１  トップカバー、３２２、５２２  ボトムカバー、３２３  クッション材、３３０、５３０  バックライトアセンブリー、３３１、５３１  ランプ、３３４、５３４  反射板、３３５、３３６、５３５、５３６  光学シート、５２３  緩衝構造。
【図１】
2005346061.tif 000003
【図２】
2005346061.tif 000004
【図３】
2005346061.tif 000005
【図４】
2005346061.tif 000006
【図５】
2005346061.tif 000007
【図６】
2005346061.tif 000008
【図７】
2005346061.tif 000009